(57)【特許請求の範囲】
【請求項１】
並列接続されたＮ台（Ｎは２以上の整数である）の無停電電源装置を備えた無停電電源システムであって、
各無停電電源装置は、
それぞれが商用交流電源からの第１の交流電力を受ける第１および第２の入力端子と、
負荷に接続される出力端子と、
前記第１の入力端子と前記出力端子との間に接続された第１のスイッチと、
前記第２の入力端子を介して前記商用交流電源から供給される前記第１の交流電力を直流電力に変換するコンバータと、
前記直流電力を第２の交流電力に変換するインバータと、
前記第１の交流電力が供給されている場合は前記コンバータから電力貯蔵装置に直流電力を供給し、前記第１の交流電力の供給が停止されている場合は前記電力貯蔵装置から前記インバータに直流電力を供給するチョッパと、
前記インバータの出力ノードと前記出力端子との間に接続された第２のスイッチと、
前記第１の交流電力を前記負荷に供給する第１の給電モードと、前記第２の交流電力を前記負荷に供給する第２の給電モードとのうちのいずれかの給電モードを選択するための操作部と、
前記操作部の選択結果に基づいて前記第１および第２のスイッチを制御する制御部とを含み、
前記Ｎ台の無停電電源装置のＮ個の前記制御部は、通信回線を介して互いに結合されて１つの総合制御部を構成し、
前記総合制御部は、前記Ｎ台の無停電電源装置のＮ個の前記操作部のうちのいずれか１つの前記操作部によって前記第１の給電モードが選択された場合は前記Ｎ台の無停電電源装置のＮ個の前記第１のスイッチを導通させ、Ｎ個の前記操作部のうちのいずれか１つの前記操作部によって前記第２の給電モードが選択された場合は前記Ｎ台の無停電電源装置のＮ個の前記第２のスイッチを導通させる、無停電電源システム。
【請求項２】
前記総合制御部は、前記第１の給電モードから前記第２の給電モードへの切換時は、Ｎ組の前記第１および第２のスイッチの両方を予め定められた時間だけ導通させた後にＮ個の前記第１のスイッチを非導通にし、前記第２の給電モードから前記第１の給電モードへの切換時は、Ｎ組の前記第１および第２のスイッチの両方を予め定められた時間だけ導通させた後にＮ個の前記第２のスイッチを非導通にする、請求項１に記載の無停電電源システム。
【請求項３】
前記通信回線は、それぞれ前記Ｎ個の前記制御部の（Ｎ−１）個の間に設けられた（Ｎ−１）組のＭ本（Ｍは自然数である）の通信ケーブルを含み、
各２個の前記制御部は、Ｍ本の通信ケーブルで互いに接続されている、請求項１または請求項２に記載の無停電電源システム。
【請求項４】
前記通信回線は、前記Ｎ個の前記制御部をループ状に接続するＮ組のＭ本（Ｍは自然数である）の通信ケーブルを含み、
各２個の前記制御部は、Ｍ本の通信ケーブルで互いに接続されている、請求項１または請求項２に記載の無停電電源システム。
【発明の詳細な説明】
【技術分野】
【０００１】
この発明は無停電電源システムに関し、特に、並列接続された複数の無停電電源装置を備えた無停電電源システムに関する。
【背景技術】
【０００２】
従来より、コンピュータシステム等の重要負荷に交流電力を安定的に供給するための電源装置として、無停電電源装置が広く用いられている。無停電電源装置は、通常動作時は、商用交流電力を直流電力に変換し、その直流電力をバッテリに供給するとともに、その直流電力を商用周波数の交流電力に変換して負荷に供給し、停電時は、バッテリの直流電力を商用周波数の交流電力に変換して負荷に供給する。したがって、停電時でも、負荷に商用周波数の交流電力を供給することができる。【０００３】
また、並列接続された複数の無停電電源装置を備えた無停電電源システムもある。この無停電電源システムでは、１台の無停電電源装置が故障しても残りの無停電電源装置によって負荷を駆動することができる（たとえば、特許文献１参照）。
【先行技術文献】
【特許文献】
【０００４】
【特許文献１】特開２００８−１８２８０６号公報
【発明の概要】
【発明が解決しようとする課題】
【０００５】
しかし、従来の無停電電源システムでは、各無停電電源装置に当該無停電電源装置を操作および制御するための操作部および制御部を設けるとともに、全無停電電源装置を操作および制御するための操作部および制御部を別途設けていたので、システムが大型化し、コスト高になると言う問題があった。【０００６】
それゆえに、この発明の主たる目的は、小型で低コストの無停電電源システムを提供することである。
【課題を解決するための手段】
【０００７】
この発明に係る無停電電源システムは、並列接続されたＮ台（Ｎは２以上の整数である）の無停電電源装置を備えたものである。各無停電電源装置は、それぞれが商用交流電源からの第１の交流電力を受ける第１および第２の入力端子と、負荷に接続される出力端子と、第１の入力端子と出力端子との間に接続された第１のスイッチと、第２の入力端子を介して商用交流電源から供給される第１の交流電力を直流電力に変換するコンバータと、直流電力を第２の交流電力に変換するインバータと、第１の交流電力が供給されている場合はコンバータから電力貯蔵装置に直流電力を供給し、第１の交流電力の供給が停止されている場合は電力貯蔵装置からインバータに直流電力を供給するチョッパと、インバータの出力ノードと出力端子との間に接続された第２のスイッチと、第１の交流電力を負荷に供給する第１の給電モードと、第２の交流電力を負荷に供給する第２の給電モードとのうちのいずれかの給電モードを選択するための操作部と、操作部の選択結果に基づいて第１および第２のスイッチを制御する制御部とを含む。Ｎ台の無停電電源装置のＮ個の制御部は、通信回線を介して互いに結合されて１つの総合制御部を構成する。総合制御部は、Ｎ台の無停電電源装置のＮ個の操作部のうちのいずれか１つの操作部によって第１の給電モードが選択された場合はＮ台の無停電電源装置のＮ個の第１のスイッチを導通させ、Ｎ個の操作部のうちのいずれか１つの操作部によって第２の給電モードが選択された場合はＮ台の無停電電源装置のＮ個の第２のスイッチを導通させる。【０００８】
好ましくは、総合制御部は、第１の給電モードから第２の給電モードへの切換時は、Ｎ組の第１および第２のスイッチの両方を予め定められた時間だけ導通させた後にＮ個の第１のスイッチを非導通にし、第２の給電モードから第１の給電モードへの切換時は、Ｎ組の第１および第２のスイッチの両方を予め定められた時間だけ導通させた後にＮ個の第２のスイッチを非導通にする。【０００９】
また好ましくは、通信回線は、それぞれＮ個の制御部の（Ｎ−１）個の間に設けられた（Ｎ−１）組のＭ本（Ｍは自然数である）の通信ケーブルを含み、各２個の制御部は、Ｍ本の通信ケーブルで互いに接続されている。【００１０】
また好ましくは、通信回線は、Ｎ個の制御部をループ状に接続するＮ組のＭ本（Ｍは自然数である）の通信ケーブルを含み、各２個の制御部は、Ｍ本の通信ケーブルで互いに接続されている。
【発明の効果】
【００１１】
この発明に係る無停電電源システムでは、Ｎ台の無停電電源装置のＮ個の制御部は通信回線を介して互いに結合されて１つの総合制御部を構成する。この総合制御部は、Ｎ台の無停電電源装置のＮ個の操作部のうちのいずれか１つの操作部によって第１の給電モードが選択された場合はＮ台の無停電電源装置のＮ個の第１のスイッチを導通させ、第２の給電モードが選択された場合はＮ台の無停電電源装置のＮ個の第２のスイッチを導通させる。したがって、全無停電電源装置を操作および制御するための操作部および制御部を別途設ける必要がないので、システムの小型化および低コスト化を図ることができる。
【図面の簡単な説明】
【００１２】
【図１】この発明の一実施の形態による無停電電源システムの構成を示す回路ブロック図である。
【図２】図１に示した無停電電源システムの制御に関連する部分を示すブロック図である。
【図３】図２に示した操作部を示す図である。
【図４】図１に示した無停電電源システムのバイパス給電モードを示す回路ブロック図である。
【図５】図１に示した無停電電源システムの給電モードの切換期間の状態を示す回路ブロック図である。
【図６】図１に示した無停電電源システムのインバータ給電モードを示す回路ブロック図である。
【図７】実施の形態の変更例を示すブロック図である。
【図８】実施の形態の他の変更例を示すブロック図である。
【図９】実施の形態のさらに他の変更例を示すブロック図である。
【発明を実施するための形態】
【００１３】
図１に示すように、この無停電電源システムは、入力端子Ｔ１，Ｔ２、ブレーカＢ１〜Ｂ１４、Ｎ台（図では３台）の無停電電源装置Ｕ１〜Ｕ３、およびＮ個（図では３個）のバッテリＢＡ１〜ＢＡ３を備える。ただし、Ｎは２以上の整数である。入力端子Ｔ１，Ｔ２の各々は、商用交流電源１からの交流電力を受ける。
【００１４】
ブレーカＢ１，Ｂ３，Ｂ５の一方端子はともに入力端子Ｔ１に接続され、それらの他方端子はそれぞれ無停電電源装置Ｕ１〜Ｕ３の入力端子Ｔ４に接続される。ブレーカＢ２，Ｂ４，Ｂ６の一方端子はともに入力端子Ｔ２に接続され、それらの他方端子はそれぞれ無停電電源装置Ｕ１〜Ｕ３の入力端子Ｔ５に接続される。
【００１５】
ブレーカＢ７〜Ｂ９の一方端子はそれぞれバッテリＢＡ１〜ＢＡ３の正電極に接続され、それらの他方端子はそれぞれ無停電電源装置Ｕ１〜Ｕ３のバッテリ端子Ｔ６に接続される。ブレーカＢ１０〜Ｂ１２の一方端子はそれぞれ無停電電源装置Ｕ１〜Ｕ３の出力端子Ｔ７に接続され、それらの他方端子はブレーカＢ１３の一方端子に共通接続される。ブレーカＢ１３の他方端子は、出力端子Ｔ３に接続される。ブレーカＢ１４は、入力端子Ｔ１と出力端子Ｔ３との間に接続される。出力端子Ｔ３には、負荷２が接続される。
【００１６】
無停電電源システムの通常運転時は、ブレーカＢ１〜Ｂ１３がオンされるとともにブレーカＢ１４がオフされ、無停電電源装置Ｕ１〜Ｕ３から負荷２に商用周波数の交流電力が供給される。
【００１７】
また、この無停電電源システムでは、（Ｎ−１）台の無停電電源装置で負荷２を駆動することが可能となっている。したがって、図１では、３台の無停電電源装置Ｕ１〜Ｕ３のうちの１台の無停電電源装置（たとえばＵ１）が故障しても２台の無停電電源装置（この場合はＵ２，Ｕ３）で負荷２を駆動することが可能である。故障した無停電電源装置Ｕ１をメンテナンスする場合は、ブレーカＢ１，Ｂ２，Ｂ７，Ｂ１０をオフすることにより、２台の無停電電源装置Ｕ２，Ｕ３から負荷２に商用周波数の交流電力を供給しながら、無停電電源装置Ｕ１を取り外してメンテナンスすることができる。
【００１８】
また、無停電電源システム全体のメンテナンス時は、ブレーカＢ１〜Ｂ１３をオフするとともにブレーカＢ１４をオンすることにより、商用交流電源１からの交流電力をブレーカＢ１４を介して負荷２に供給しながら、無停電電源装置Ｕ１〜Ｕ３を取り外してメンテナンスすることができる。
【００１９】
無停電電源装置Ｕ１は、上記入力端子Ｔ４，Ｔ５，バッテリ端子Ｔ６，および出力端子Ｔ７の他、コンバータ３、インバータ４、チョッパ５、ＳＴＳ６、および電磁スイッチＳ１，Ｓ２を含む。コンバータ３は、商用交流電源１から入力端子Ｔ５を介して供給される交流電力を直流電力に変換する。コンバータ３で生成された直流電力は、インバータ４およびチョッパ５に供給される。
【００２０】
インバータ４は、直流電力を商用周波数の交流電力に変換する。チョッパ５は、通常動作時は、コンバータ３で生成された直流電力をバッテリ端子Ｔ６およびブレーカＢ７を介してバッテリＢＡ１の正電極に供給し、商用交流電源１の停電時は、バッテリＢＡ１の直流電力をインバータ４に供給する。スイッチＳ２の一方端子はインバータ４の出力電力を受け、その他方端子は出力端子Ｔ７に接続される。ＳＴＳ６は入力端子Ｔ４と出力端子Ｔ７との間に接続され、スイッチＳ１はＳＴＳ６に並列接続される。
【００２１】
無停電電源装置Ｕ１は、商用交流電源１から入力端子Ｔ４を介して供給された交流電力をスイッチＳ１を介して出力端子Ｔ７に出力するバイパス給電モードと、インバータ４で生成された交流電力をスイッチＳ２を介して出力端子Ｔ７に出力するインバータ給電モードとを有する。バイパス給電モードではスイッチＳ１がオンされ、インバータ給電モードではスイッチＳ２がオンされ、バイパス給電モードとインバータ給電モードとの切換期間ではスイッチＳ１，Ｓ２の両方がオンされる。ＳＴＳ６は、インバータ給電モードでの給電中にインバータ４が故障した場合にオンし、商用交流電源１からの交流電力を出力端子Ｔ７に瞬時に与える。無停電電源装置Ｕ２，Ｕ３も、無停電電源装置Ｕ１と同じ構成である。
【００２２】
図２は、無停電電源システムの制御に関連する部分を示すブロック図である。無停電電源装置Ｕ１〜Ｕ３の各々は、操作部１０、制御部１１、電源回路部１２、入力端子Ｔ４，Ｔ５，バッテリ端子Ｔ６，出力端子Ｔ７、および通信端子Ｔ８，Ｔ９を含む。電源回路部１２は、図１で示したコンバータ３、インバータ４、チョッパ５、ＳＴＳ６、およびスイッチＳ１，Ｓ２を含み、端子Ｔ４〜Ｔ７に接続されている。
【００２３】
無停電電源装置Ｕ１〜Ｕ３の操作部１０は、それぞれ無停電電源装置Ｕ１〜Ｕ３を操作するために使用される。また、無停電電源装置Ｕ１〜Ｕ３の操作部１０の各々は、無停電電源システム全体を操作するためにも使用される。操作部１０は、たとえば、タッチパネルで構成される。操作部１０の画面には、図３（ａ）に示すように、バイパス給電モードを選択するためのアイコン１０ａと、インバータ給電モードを選択するためのアイコン１０ｂとが表示される。また、同じ画面には、無停電電源システムの現在の状態（給電モードの種類）を示す文字と、給電モードの切換が可能か否かを示す文字も表示される。
【００２４】
バイパス給電モード時において、切換可能時にアイコン１０ｂにタッチすると、バイパス給電モードからインバータ給電モードへの切換を指示するインバータ給電モード指令信号が操作部１０から制御部１１に出力される。また、インバータ給電モード時において、切換可能時にアイコン１０ａにタッチすると、インバータ給電モードからバイパス給電モードへの切換を指示するバイパス給電モード指令信号が操作部１０から制御部１１に出力される。
【００２５】
なお、同じ画面には、他のページを選択するためのアイコン（図示せず）も表示される。他のページには、図２（ｂ）に示すように、他の無停電電源装置の状態（運転中か否か、設置されているか否か）などが表示される。また、さらに他のページには、対応の無停電電源装置のみを操作するためのアイコンも表示される。
【００２６】
図２に戻って、各制御部１１は、対応の操作部１０からの信号に従って対応の電源回路部１２、すなわちコンバータ３、インバータ４、チョッパ５、ＳＴＳ６、およびスイッチＳ１，Ｓ２を制御する。また、各制御部１１は、通信端子Ｔ８，Ｔ９に接続される。無停電電源装置Ｕ１の通信端子Ｔ９と無停電電源装置Ｕ２の通信端子Ｔ８とは通信ケーブルＣ１によって接続され、無停電電源装置Ｕ２の通信端子Ｔ９と無停電電源装置Ｕ３の通信端子Ｔ８とは通信ケーブルＣ２によって接続され、無停電電源装置Ｕ１〜Ｕ３の制御部１１は１つの総合制御部１３を構成している。
【００２７】
総合制御部１３は、３つの操作部１０のうちの任意の１つの操作部１０からバイパス給電モード指令信号が与えられた場合は、３つの電源回路部１２を制御してバイパス給電モードを実行する。また、総合制御部１３は、３つの操作部１０のうちの任意の１つの操作部１０からインバータ給電モード指令信号が与えられた場合は、３つの電源回路部１２を制御してインバータ給電モードを実行する。
【００２８】
具体的には、無停電電源装置Ｕ１の操作部１０から出力されたバイパス給電モード指令信号またはインバータ給電モード指令信号は、無停電電源装置Ｕ１の制御部１１に与えられるとともに、通信ケーブルＣ１，Ｃ２を介して無停電電源装置Ｕ２，Ｕ３の制御部１１に与えられる。各制御部１１は、バイパス給電モード指令信号またはインバータ給電モード指令信号に応じて、対応の無停電電源装置のスイッチＳ１，Ｓ２を制御する。
【００２９】
また、無停電電源装置Ｕ２の操作部１０から出力されたバイパス給電モード指令信号またはインバータ給電モード指令信号は、無停電電源装置Ｕ２の制御部１１に与えられるとともに、通信ケーブルＣ１，Ｃ２を介して無停電電源装置Ｕ１，Ｕ３の制御部１１に与えられる。各制御部１１は、バイパス給電モード指令信号またはインバータ給電モード指令信号に応じて、対応の無停電電源装置のスイッチＳ１，Ｓ２を制御する。
【００３０】
また、無停電電源装置Ｕ３の操作部１０から出力されたバイパス給電モード指令信号またはインバータ給電モード指令信号は、無停電電源装置Ｕ３の制御部１１に与えられるとともに、通信ケーブルＣ１，Ｃ２を介して無停電電源装置Ｕ１，Ｕ２の制御部１１に与えられる。各制御部１１は、バイパス給電モード指令信号またはインバータ給電モード指令信号に応じて、対応の無停電電源装置のスイッチＳ１，Ｓ２を制御する。
【００３１】
図４は、バイパス給電モードにおける電流経路を示す回路ブロック図である。図４において、バイパス給電モードでは、ブレーカＢ１〜Ｂ１３がオンされ、ブレーカＢ１４がオフされ、スイッチＳ１がオンされ、スイッチＳ２がオフされる。商用交流電源１から入力端子Ｔ１、ブレーカＢ１，Ｂ３，Ｂ５、入力端子Ｔ４、スイッチＳ１、出力端子Ｔ７、ブレーカＢ１０〜Ｂ１３、および出力端子Ｔ３を介して負荷２に交流電流が供給される。また、商用交流電源１から入力端子Ｔ２、ブレーカＢ２，Ｂ４，Ｂ６、および入力端子Ｔ５を介してコンバータ３に交流電力が供給され、コンバータ３からインバータ４に直流電力が供給され、インバータ４は商用周波数の交流電力を生成している。
【００３２】
また、バイパス給電モードでは、図３（ａ）に示したように、操作部１０の画面に「バイパス給電」のアイコン１０ａと「インバータ給電」のアイコン１０ｂとが表示されている。３つの操作部１０のうちの任意の１つの操作部１０の「インバータ給電」のアイコン１０ｂにタッチすると、操作部１０から総合制御部１３にインバータ給電モード指令信号が与えられる。
【００３３】
総合制御部１３は、図５に示すように、インバータ給電モード指令信号に応答して所定時間だけスイッチＳ１，Ｓ２の両方をオンさせる。スイッチＳ１，Ｓ２の両方がオンしている期間は、商用交流電源１からの交流電力とインバータ４で生成された交流電力との両方が負荷２に供給される。次に、総合制御部１３は、図６に示すように、スイッチＳ１をオフさせる。これにより、インバータ４からの交流電力がスイッチＳ２、ブレーカＢ１０〜Ｂ１３、および出力端子Ｔ３を介して負荷２に供給され、商用交流電源１から入力端子Ｔ１，ブレーカＢ１，Ｂ３，Ｂ５および入力端子Ｔ４を介して供給される交流電力はスイッチＳ１で遮断される。
【００３４】
また、図６で示したインバータ給電モードからバイパス給電モードに切り換える場合は、任意の１つの操作部１０で現在の状態が「インバータ給電」であり、切換が「可能」でえあることを確認した上で、「バイパス給電モード」のアイコン１０ａにタッチする。これにより、その操作部１０から総合制御部１３にバイパス給電モード指令信号が与えられる。
【００３５】
総合制御部１３は、図５に示すように、バイパス給電モード指令信号に応答して所定時間だけスイッチＳ１，Ｓ２の両方をオンさせる。スイッチＳ１，Ｓ２の両方がオンしている期間は、商用交流電源１からの交流電力とインバータ４からの交流電力との両方が負荷２に供給される。次に、総合制御部１３は、図４に示すように、スイッチＳ２をオフさせる。これにより、インバータ４からの交流電力はスイッチＳ２で遮断され、商用交流電源１から入力端子Ｔ１，ブレーカＢ１，Ｂ３，Ｂ５、入力端子Ｔ４、スイッチＳ１、ブレーカＢ１０〜Ｂ１３、および出力端子Ｔ３を介して交流電力が負荷２に供給される。
【００３６】
なお、バイパス給電モードからインバータ給電モードへの切換は無停電電源システムの立ち上げ時に行なわれ、インバータ給電モードからバイパス給電モードへの切換は無停電電源システムの立ち下げ時に行なわれる。
【００３７】
この実施の形態では、３台の無停電電源装置Ｕ１〜Ｕ３の制御部１１は通信ケーブルＣ１，Ｃ２を介して互いに結合されて１つの総合制御部１３を構成する。この総合制御部１３は、任意の１つの操作部１０によってバイパス給電モードが選択された場合は３つのスイッチＳ１を導通させ、インバータ給電モードが選択された場合は３つのスイッチＳ２を導通させる。したがって、全無停電電源装置Ｕ１〜Ｕ３を操作および制御するための操作部および制御部を別途設ける必要がないので、システムの小型化および低コスト化を図ることができる。
【００３８】
図７は、実施の形態の変更例を示すブロック図であって、図２と対比される図である。この変更例では、無停電電源装置Ｕ１の通信端子Ｔ９と無停電電源装置Ｕ２の通信端子Ｔ８とが通信ケーブルＣ１で接続され、無停電電源装置Ｕ２の通信端子Ｔ９と無停電電源装置Ｕ３の通信端子Ｔ８とが通信ケーブルＣ２で接続され、無停電電源装置Ｕ３の通信端子Ｔ９と無停電電源装置Ｕ１の通信端子Ｔ８とが通信ケーブルＣ３で接続される。３つの無停電電源装置Ｕ１〜Ｕ３の３つの制御部１１は、３本のケーブルＣ１〜Ｃ３でループ状に接続されて１つの総合制御部１３を構成する。この変更例でも、実施の形態と同じ効果が得られる。
【００３９】
図８は、実施の形態の他の変更例を示すブロック図であって、図２と対比される図である。この変更例では、無停電電源装置Ｕ１〜Ｕ３の各々は、４つの通信端子Ｔ８ａ，Ｔ８ｂ，Ｔ９ａ，Ｔ９ｂを含み、各制御部１１は対応の４つの通信端子Ｔ８ａ，Ｔ８ｂ，Ｔ９ａ，Ｔ９ｂに接続されている。無停電電源装置Ｕ１の通信端子Ｔ９ａ，Ｔ９ｂと無停電電源装置Ｕ２の通信端子Ｔ８ａ，Ｔ８ｂとが通信ケーブルＣ１ａ，Ｃ１ｂで接続され、無停電電源装置Ｕ２の通信端子Ｔ９ａ，Ｔ９ｂと無停電電源装置Ｕ３の通信端子Ｔ８ａ，Ｔ８ｂとが通信ケーブルＣ２ａ，Ｃ２ｂで接続される。３つの無停電電源装置Ｕ１〜Ｕ３の３つの制御部１１は、２組の２本のケーブルＣ１ａ，Ｃ１ｂ；Ｃ２ａ，Ｃ２ｂで接続されて１つの総合制御部１３を構成する。この変更例でも、実施の形態と同じ効果が得られる。なお、３つの無停電電源装置Ｕ１〜Ｕ３の３つの制御部１１を、２組の３本以上のケーブルで接続してもよい。
【００４０】
図９は、実施の形態のさらに他の変更例を示すブロック図であって、図８と対比される図である。この変更例では、３つの無停電電源装置Ｕ１〜Ｕ３の３つの制御部１１は、３組の２本のケーブルＣ１ａ，Ｃ１ｂ；Ｃ２ａ，Ｃ２ｂ；Ｃ３ａ，Ｃ３ｂでループ状に接続されて１つの総合制御部１３を構成する。この変更例でも、実施の形態と同じ効果が得られる。なお、３つの無停電電源装置Ｕ１〜Ｕ３の３つの制御部１１を、３組の３本以上のケーブルでループ状に接続してもよい。
【００４１】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００４２】
１  商用交流電源、２  負荷、３  コンバータ、４  インバータ、５  チョッパ、６  ＳＴＳ（Static Transfer Switch)、１０  操作部、１０ａ，１０ｂ  アイコン、１１  制御部、１２  電源回路部、１３  総合制御部、Ｔ  端子、Ｂ  ブレーカ、Ｕ  無停電電源装置、ＢＡ  バッテリ、Ｓ  スイッチ、Ｃ  通信ケーブル。
【図１】
0005461529.tif 000002
【図２】
0005461529.tif 000003
【図３】
0005461529.tif 000004
【図４】
0005461529.tif 000005
【図５】
0005461529.tif 000006
【図６】
0005461529.tif 000007
【図７】
0005461529.tif 000008
【図８】
0005461529.tif 000009
【図９】
0005461529.tif 000010